(57)【要約】【課題】  本発明の目的は、臀部のような部位でも適切にトレーニング可能な電気刺激装置を提供することである。【解決手段】  本発明による電気刺激装置は、電源を備えた本体部と、第１電極部及び前記第１電極部に対し前記本体部の中心線に対称に設けられた第２電極部と、第３電極部及び前記第３電極部に対し前記本体部の中心線に対称に設けられた第４電極部とを備え、前記第１の電極部の中心線と前記第２電極部の中心線とのなす角が１２０°〜１８０°であり、前記第１の電極部の中心線と前記第３電極部の中心線とのなす角が８０°〜９０°である。【選択図】図１
2019013270.tif 000002
【特許請求の範囲】
【請求項１】
電源を備えた本体部と、
第１電極部及び前記第１電極部に対し前記本体部の中心線に対称に設けられた第２電極部と、第３電極部及び前記第３電極部に対し前記本体部の中心線に対称に設けられた第４電極部とを備え、
前記第１電極部の中心線と前記第２電極部の中心線とのなす角が１２０°〜１８０°であり、前記第１電極部の中心線と前記第３電極部の中心線とのなす角が８０°〜９０°であることを特徴とする電気刺激装置。
【請求項２】
各電極部の長さと幅のアスペクト比は２．５以上であり、且つ、前記第１電極部及び前記第２電極部のアスペクト比よりも、前記第３電極部及び第４電極部のアスペクト比が大きいことを特徴とする請求項１に記載の電気刺激装置。
【請求項３】
前記第１電極部及び第２電極部と、前記第３電極部及び第４電極部とが、独立に制御可能であることを特徴とする請求項１または請求項２に記載の電気刺激装置。
【請求項４】
前記第１電極部及び前記第２電極部は２つの電極パッドを備えることを特徴とする請求項１〜３のいずれかに記載の電気刺激装置。
【発明の詳細な説明】
【技術分野】
【０００１】
本発明は、筋肉に電気的な刺激を与える電気刺激装置に関する。
【背景技術】
【０００２】
近年、電気刺激により腹筋等を簡単にトレーニングできる電気刺激装置が急速に普及している。従来の電気刺激装置は電源を備えた本体部と、電気刺激を与える電極部とをコードでつないでおり、また、腹筋部分に電気刺激を与えるために電気刺激を与える電極部をベルト等で固定する必要があり、機器の部品数が多くなり、収納等の煩わしさがあった。
【０００３】
これらの従来技術に対し、例えば特許文献１に記載の文献には、電源部を収納した本体部と電気刺激部を与える電極部とを一体化することでコードレス化し、更には、電極部に人体への貼り付けに繰り返し使用が可能な粘着性および導電性のあるゲルパッドを使用することで、ベルト等の固定部材が不要で切り返し使用が可能な、非常にコンパクトで手軽に使用することができる電気刺激装置が開示されている。
【０００４】
特許文献１に記載の電気刺激装置は、腹筋をトレーニングすることを主目的としているため、電気刺激部となる電極部が６か所設けられている。また、腕部や太腿部のトレーニングに適した電極部を２か所としたモデルも販売されている。
【先行技術文献】
【特許文献】
【０００５】
【特許文献１】特開２０１６−１６３６６３号公報
【発明の概要】
【発明が解決しようとする課題】
【０００６】
トレーニングを目的とした電気刺激装置は、シェイプアップ等の効果を目的として使用する機会が多いが、シェイプアップしたい体の部位としては、腹部や腕部、太腿部の他、臀部や複数の部分を同時にトレーニングしたいという要望も多い。しかしながら、腹部や腕部等に比べ臀部の起伏は複雑であり、複数の部位を同時に行おうとする場合はより複雑な形状となる。そのため、従来の電気刺激装置では電極部の配置が臀部や複数の部位に適し他形状ではないため、目的の部位に適した形状の電気刺激装置が求められている。
【０００７】
本発明の目的は、臀部のような部位でも適切にトレーニング可能な電気刺激装置を提供することである。
【課題を解決するための手段】
【０００８】
本発明による電気刺激装置は、電源を備えた本体部と、第１電極部及び前記第１電極部に対し前記本体部の中心線に対称に設けられた第２電極部と、第３電極部及び前記第３電極部に対し前記本体部の中心線に対称に設けられた第４電極部とを備え、前記第１の電極部の中心線と前記第２電極部の中心線とのなす角が１２０°〜１８０°であり、前記第１の電極部の中心線と前記第３電極部の中心線とのなす角が８０°〜９０°である。
また、各電極部は、長さと幅のアスペクト比は２．５以上であり、第１、第２電極部のアスペクト比よりも第３、第４電極部のアスペクト比が大きい。
【発明の効果】
【０００９】
本発明の一実施形態によれば、臀部のような起伏の複雑な人体の部位であっても電気刺激装置を使用してトレーニングすることができる。
【図面の簡単な説明】
【００１０】
【図１】実施形態に係る電気刺激装置の上面を示す図である。
【図２】実施形態に係る電気刺激装置の下面を示す図である。
【図３】実施形態に係る電気刺激装置を人体に貼り付けた際の図である。
【発明を実施するための形態】
【００１１】
以下、図面を参照し、本発明の実施の形態を詳しく説明する。
【実施例】
【００１２】
実施例に係る電気刺激装置を図１、図２を用いて説明する。
図１は実施形態に係る電気刺激装置の上面を示す図である。本実施例における電気刺激装置１は、電源部を内蔵する本体部２と、第１電極部３、第２電極部４、第３電極部５、第４電極部６を備える。各電極部には図２に示したように電極パッドが設けられており、電極パッドは電源部を内蔵する本体部２とリード部７によって電気的に接続されている。そして、電極パットはゲルパットによって人体に貼り付けられ、本体部から適切な電気刺激を付与することで筋肉を動かす。
【００１３】
本実施例では、第１電極部３と第２電極部４は中心線３ａと４ａのなす角を１４０°となるようにし、また、第１電極部３と第２電極部４は本体部の中心線に対し対称となるように設けた。なお、第１電極部３及び第２電極部４には、それぞれ電極パッドが２か所設けられており、本体部２と電極パッドＡ１０がリード部７によって電気的に接続され、電極パッドＡ１０と電極パッドＢ１１がリード部７によって電気的に接続されている。電極パッドＢ１１は電極パッドＡ１０を介して本体部２に接続されているので、電力及び電力パルスは同期している。また、第２電極部４の電極パッドＣ１２及び電極パッドＤ１３も第１電極部３と同様にリード部７によって接続されている。なお、第１電極部３と第２電極部４は、中心線３ａと４ａのなす角を本実施例では１４０°となるように設けたが、第１電極部３と第２電極部４の中心線３ａと４ａのなす角は１２０°〜１８０°の範囲あれば任意の角度とすることができる。第１電極部３と第２電極部４の中心線３ａと４ａのなす角を１２０°〜１８０°とすることで、第１電極部３および第２電極部４は人体に貼り付けた際に、ちょうど腰部近傍に貼り付けることができる。
【００１４】
第１電極部３及び第２電極部４は長さ２６４ｍｍ、幅８６ｍｍ、厚さ１．８ｍｍ、アスペクト比は３．０の同一形状であり、各電極パッドとリード部、およびこれらの部材を支持するシリコン樹脂などのエラストマーからなる支持材により構成されている。電極部における人体と接する面とは反対側の外表面には、凸部や溝部などを設けてもよい。なお、長さは本体部から電極部の最先端部までの長さ、幅は電極部における最大幅、厚さは電極部における最大厚さである。
【００１５】
第３電極部５は第１電極部３に対し中心線３ａと５ａのなす角が８５°となるようにし、また、第４電極部６は本体部２の中心線に対し第３電極部５と対称となるように設けた。第３電極５および第４電極６には電極パッドＥ１４、電極パッドＦ１５がそれぞれ１か所設けられており、本体部２と電極パッドＥ１４及び電極パッドＦ１５はリード部７によって電気的に接続されている。なお、第１電極部３と第３電極部５は中心線３ａと５ａのなす角を本実施例では８５°となるように設けたが、第１電極部３と第３電極部５の中心線３ａと５ａのなす角が８０°〜９０°の範囲あれば任意の角度とすることができる。第１電極部３と第３電極部５の中心線３ａと５ａのなす角を８０°〜９０°とすることで、第３電極部５および第４電極部６は人体に貼り付けた際に、ちょうど大殿筋近傍に貼り付けることができる。
【００１６】
第３電極部５及び第４電極部６は長さ２４０ｍｍ、幅６９ｍｍ、厚さ１．８ｍｍ、アスペクト比は３．５の同一形状であり、第１、第２電極部と同様に、電極パッドとリード部、およびこれらの部材を支持する黒色のシリコン樹脂などのエラストマーからなる支持材により構成されている。
【００１７】
ここで、各電極部は、長さと幅のアスペクト比が２．５以上となるように設けることが好ましい。アスペクト比が３以上であれば起伏の大きな部位であっても電極部を人体部に確実に保持しておくことができる。アスペクト比が３未満、例えば１．５程度になると、電極部が柔軟なエラストマーで構成されていても、縦横方向ともに人体の起伏に追従することが難しくなるためである。なお、第３、第４電極部のアスペクト比は、第１、第２電極部のアスペクト比よりも高い方がより好ましい。これは腰部に位置する第１、第２電極部よりも臀部に位置する第３、第４電極部は密着させる部位の起伏が大きく、より追従性が必要になるためである。なお、各電極部に設けられる電極パッドには、電極パッドよりも面積の大きな粘着性及び導電性のあるゲルシートを貼り付け、図３に例示したように人体に貼り付けて使用する。
【００１８】
本体部２には電源部の他に制御部が内蔵されており、電極パットに供給する電力と電力パルスを制御している。また、本体部２には電源スイッチや、電気刺激の強度を調整するための出力変更スイッチ、電源状態を表示するためのランプ等が設けられている。電源部は一時電池を交換可能に取り付ける構成にしてもよいし、リチウム二次電池などを用いて充電式にしてもよい。
【００１９】
各電極部はそれぞれ本体部とリード部で接続されているため、電極部毎に異なる制御を行うことが可能である。電極部全てを動作させる場合に各電極で電力および電力パルスを変えることや、例えば第１電極部３及び第２電極部４のみを動作させること、第３電極部５及び第４電極部６のみを動作させることも可能である。なお、本体部２からの各電極部の制御については、公知のパルスパターンを用いることが可能である。
【００２０】
本実施例による電気刺激装置を使用することで、腰部および臀部に対し電気刺激を与えることで、筋肉のトレーニングを行うことができる。
（その他の実施形態）
以上、本発明の実施の形態を説明したが、上述した実施の形態は本発明を実施するための例示に過ぎない。よって、上述した実施の形態に限定されることなく、その趣旨を逸脱しない範囲内で上述した実施の形態を適宜変形して実施することが可能である。例えば実施例では臀部の筋肉の電気刺激を中心に記載したが、人体前面にに装着して使用することも可能である。
【産業上の利用可能性】
【００２１】
本実施形態に係る電気刺激装置は、筋肉のトレーニング等に利用可能である。
【符号の説明】
【００２２】
１  電気刺激装置
２  本体部
３  第１電極部
３ａ  第１電極部の中心線
４  第２電極部
４ａ  第２電極部の中心線
５  第３電極部
５ａ  第３電極部の中心線
６  第４電極部
６ａ  第４電極部の中心線
７  リード部
１０  電極パッドＡ
１１  電極パッドＢ
１２  電極パッドＣ
１３  電極パッドＤ
１４  電極パッドＥ
１５  電極パッドＦ
【図１】
2019013270.tif 000003
【図２】
2019013270.tif 000004
【図３】
2019013270.tif 000005